(57)【要約】【課題】外部配管を掴まれ難くすること。【解決手段】ポンプ装置１は、筐体１０と、一端および他端が筐体１０に接続された外部配管１６と、筐体１０と外部配管１６とを接続する第１接続部材１４および第２接続部材１５と、を有する。外部配管１６の中間部は、外部配管１６と第１接続部材１４との接続部分および外部配管１６と第２接続部材１５との接続部分よりも、筐体１０寄りに位置している。【選択図】図１
2019199855.tif 000002
【特許請求の範囲】
【請求項１】
筐体と、
一端および他端が前記筐体に接続された外部配管と、
前記筐体と前記外部配管とを接続する接続部材と、を有し、
前記外部配管の中間部は、
前記外部配管と前記接続部材との接続部分よりも、前記筐体寄りに位置している、
ポンプ装置。
【請求項２】
前記接続部材は、
前記外部配管の一端と接続される第１接続部材と、
前記外部配管の他端と接続される第２接続部材と、を含み、
前記第１接続部材および前記第２接続部材は、
前記筐体の異なる位置に接続されている、
請求項１に記載のポンプ装置。
【請求項３】
前記筐体の内部に吸入された燃料の流量を調整する流量調整弁と、
前記流量が調整された前記燃料を複数の加圧室で加圧する高圧ポンプと、をさらに有し、
前記外部配管には、前記複数の加圧室のうちの１つの加圧室から前記燃料が流入し、
前記外部配管から流出した前記燃料は、前記複数の加圧室のうち前記１つの加圧室以外の加圧室から流出した前記燃料と合流する、
請求項１または２に記載のポンプ装置。
【発明の詳細な説明】
【技術分野】
【０００１】
本開示は、流体の吸入および排出を行うポンプ装置に関する。
【背景技術】
【０００２】
従来、車両に搭載されるポンプとして、吸入された燃料に対して流量の調整および加圧を行い、その燃料を内燃機関側へ排出するサプライポンプが知られている。このようなサプライポンプには、筐体の外部に、湾曲または曲折した外部配管が設けられたものがある（例えば、特許文献１参照）。
【先行技術文献】
【特許文献】
【０００３】
【特許文献１】特開２００７−１３９０９８号公報
【発明の概要】
【発明が解決しようとする課題】
【０００４】
上述した外部配管は、例えばサプライポンプの整備の際に、作業者によって手で掴まれることにより、外部配管と筐体との接続部分に負荷がかかることがある。これにより、接続部分が破損し、燃料が漏出するおそれがある。
【０００５】
本開示の目的は、外部配管を掴まれ難くすることができるポンプ装置を提供することである。
【課題を解決するための手段】
【０００６】
本開示の一態様に係るポンプ装置は、筐体と、一端および他端が前記筐体に接続された外部配管と、前記筐体と前記外部配管とを接続する接続部材と、を有し、前記外部配管の中間部は、前記外部配管と前記接続部材との接続部分よりも、前記筐体寄りに位置している。
【発明の効果】
【０００７】
本開示のポンプ装置は、外部配管を掴まれ難くすることができる。
【図面の簡単な説明】
【０００８】
【図１】本開示の実施の形態に係るポンプ装置の外観を示す図
【図２】本開示の実施の形態に係るポンプ装置の内部構成を模式的に示す図
【発明を実施するための形態】
【０００９】
以下、本開示の実施の形態について、図面を参照して詳細に説明する。
【００１０】
まず、本開示の実施の形態に係るポンプ装置１の構成について、図１、図２を用いて説明する。図１は、本実施の形態に係るポンプ装置１の外観を示す図である。図２は、本実施の形態に係るポンプ装置１の内部構成を模式的に示す図である。
【００１１】
ポンプ装置１は、例えば、車両に搭載され、内燃機関側へ燃料を供給するサプライポンプである。図１、図２に示す矢印は、燃料の流れを示している。
【００１２】
図１に示すように、ポンプ装置１は、筐体１０を有する。その筐体１０には、吸入配管１１の一端および排出配管１２の一端が接続されている。
【００１３】
吸入配管１１は、筐体１０の内部に吸入される燃料が流れる配管である。吸入配管１１の他端は、例えば、燃料を貯留する燃料タンク（図示略）に接続されている。
【００１４】
排出配管１２は、筐体１０の内部から排出された燃料が流れる配管である。排出配管１２の他端は、例えば、燃料を蓄圧するコモンレール（図示略）に接続されている。
【００１５】
また、図１に示すように、ポンプ装置１は、筐体１０の外部に設けられた外部配管１６を有する。
【００１６】
外部配管１６は、筐体１０の外表面に突設された第１接続部材１４および第２接続部材１５を介して、筐体１０の内部と連通している。
【００１７】
第１接続部材１４および第２接続部材１５それぞれの内部には、長手方向に貫通した貫通流路が形成されている。
【００１８】
第１接続部材１４の一端は、筐体１０の内部に形成された第１流路（図示略。詳細は後述）と接続されている。第１接続部材１４の他端は、外部配管１６の一端と接続されている。
【００１９】
第２接続部材１５の一端は、筐体１０の内部に形成された第２流路（図示略。詳細は後述）と接続されている。第２接続部材１５の他端は、外部配管１６の他端と接続されている。
【００２０】
筐体１０の内部には、図２に示す流量調整弁２０、高圧ポンプ２１、およびカム２２が備えられる。
【００２１】
流量調整弁２０は、吸入配管１１から吸入された燃料の流量を調整する。
【００２２】
流量調整弁２０の開度は、コモンレールに蓄えられた燃料の圧力が運転状況（例えば、内燃機関の回転数およびアクセル開度）に基づいて決まる目標コモンレール圧となるように、図示しない制御装置（例えば、ＥＣＵ：Electronic Control Unit）によって制御される。
【００２３】
流量調整弁２０により流量が調整された燃料は、加圧室２４ａ、２４ｂのそれぞれに流入する。
【００２４】
高圧ポンプ２１は、プランジャ２３ａ、２３ｂの往復移動により、加圧室２４ａ、２４ｂに流入した燃料を加圧する。プランジャ２３ａ、２３ｂは、内燃機関の駆動力により回転するカムシャフト１３のカム２２の回転に伴って、往復移動する。
【００２５】
なお、図示は省略しているが、加圧室２４ａ、２４ｂそれぞれの吸入側および排出側には、逆止弁が設けられている。
【００２６】
加圧室２４ａで加圧された燃料は、上述した第１流路に流入する。また、加圧室２４ｂで加圧された燃料は、上述した第２流路に流入する。
【００２７】
第２流路の下流端は、排出配管１２に接続されている。また、第２流路は、上述した第２接続部材１５の貫通流路と連通している。
【００２８】
以上のように構成されたポンプ装置１における燃料の流れは、以下の通りとなる。
【００２９】
燃料タンクの燃料は、フィードポンプ（図示略）により汲み上げられ、吸入配管１１を介して筐体１０の内部に吸入される。
【００３０】
筐体１０の内部に吸入された燃料は、流量調整弁２０により流量を調整された後、高圧ポンプ２１の加圧室２４ａ、２４ｂにおいて高圧に加圧される。
【００３１】
加圧室２４ｂで加圧された燃料は、上述した第２流路に流入し、排出配管１２を介してコモンレールに供給される。
【００３２】
一方、加圧室２４ａで加圧された燃料は、第１流路に流入した後、第１接続部材１４の貫通流路、外部配管１６、第２接続部材１５の貫通流路の順に流れ、第２流路に流入する。すなわち、加圧室２４ａで加圧された燃料は、第２流路において、加圧室２４ｂで加圧された燃料と合流する。そして、第２流路に流入した燃料は、排出配管１２を介してコモンレールに供給される。なお、コモンレールに蓄えられた燃料は、内燃機関のインジェクタ（図示略）に供給され、インジェクタにより燃焼室（図示略）へ噴射される。
【００３３】
次に、本実施の形態のポンプ装置１の特徴について、以下に説明する。
【００３４】
図１に示すように、外部配管１６は、その中間部が、外部配管１６と第１接続部材１４との接続部分Ａおよび外部配管１６と第２接続部材１５との接続部分Ｂよりも、筐体１０寄りに位置した形状である。
【００３５】
例えば、外部配管１６は、外部配管１６の中間部と筐体１０の外表面１０ａとの間の距離Ｃが人間の指の厚みよりも小さくなるように形成（製造）される。
【００３６】
なお、外部配管１６の形状は、外部配管１６の中間部が接続部分Ａ、Ｂよりも筐体１０寄りに位置する形状であればよく、図１に示した形状に限定されない。
【００３７】
上述した特徴により、外部配管１６の中間部と筐体１０との間に人間の指が入り込む隙間がなくなるため、外部配管１６を掴まれ難くすることができる。よって、外部配管１６と、第１接続部材１４または第２接続部材１５との接続部分に与えられる負荷を防止できる。したがって、接続部分が破損し、燃料が漏出することを防止できる。
【００３８】
なお、本開示は、上述の実施の形態に限定されるものではなく、本開示の趣旨を逸脱しない範囲で、適宜変形して実施することが可能である。以下、各変形例について説明する。
【００３９】
［変形例１］
実施の形態では、ポンプ装置１がサプライポンプである場合を例に挙げて説明したが、ポンプ装置１の種類は、これに限定されない。例えば、ポンプ装置１は、オイルの吸入および排出を行うパワーステアリングポンプであってもよい。
【００４０】
［変形例２］
実施の形態では、ポンプ装置１が２つのプランジャ２３ａ、２３ｂおよび２つの加圧室２４ａ、２４ｂを備える場合を例に挙げて説明したが、これに限定されず、ポンプ装置１は、３つ以上のプランジャおよび加圧室を備えてもよい。例えば、ポンプ装置１が３つのプランジャおよび加圧室を備える場合、２つの外部配管１６が設けられる。
【００４１】
以上、各変形例について説明した。なお、各変形例は、組み合わせて実施されてもよい。
【産業上の利用可能性】
【００４２】
本開示のポンプ装置は、流体の吸入および排出を行うポンプ装置に有用である。
【符号の説明】
【００４３】
１  ポンプ装置
１０  筐体
１１  吸入配管
１２  排出配管
１３  カムシャフト
１４  第１接続部材
１５  第２接続部材
１６  外部配管
２０  流量調整弁
２１  高圧ポンプ
２２  カム
２３ａ、２３ｂ  プランジャ
２４ａ、２４ｂ  加圧室
【図１】
2019199855.tif 000003
【図２】
2019199855.tif 000004